(57)【要約】【課題】パッキンが取付け枠の内周縁面側に露出しないようにして外観を向上し、且つパッキンの経年変化による劣化を抑えた面板と取付け枠の接続構造を提供する。【解決手段】取付け枠３の内周縁面７に溝１２を形成する。この溝１２内部に自身の全部が収まるようにパッキン１４を配設する。面板２の周縁部２ａを前記溝１２の開口から差し込んで溝１２内部のパッキン１４に嵌め込む。溝１２の両側面２ｂの開口側の端部に、溝１２の幅方向の内側に突出すると共にその突端が面板２近傍に位置する隠し用突片１３を形成する。【選択図】        図１
2004232240.tif 000002
【特許請求の範囲】
【請求項１】
取付け枠の内周縁面に溝を形成し、この溝内部に自身の全部が収まるようにパッキンを配設し、面板の周縁部を前記溝の開口から差し込んで溝内部のパッキンに嵌め込んでなる面板と取付け枠の接続構造において、溝の両側面の開口側の端部に、溝の幅方向の内側に突出すると共にその突端が面板近傍に位置する隠し用突片を形成して成ることを特徴とする面板と取付け枠の接続構造。
【請求項２】
上記パッキンを弾性を有するものとし、該パッキンを、溝の開口側に凸となる突曲部と、突曲部の幅方向両端から溝の開口側に突出する両側片とからなる断面略Ｗ字状に形成し、溝の開口から差し込まれた面板の周縁面によってパッキンの突曲部を溝の奥面側に押圧し、パッキンの両側片の先端部を面板の両側面に弾接させてなることを特徴とする請求項１記載の面板と取付け枠の接続構造。
【発明の詳細な説明】
【０００１】
【発明の属する技術分野】
本発明は、パッキンを介在させた面板と取付け枠の接続構造に関するものである。
【０００２】
【従来の技術】
従来から、矩形状の取付け枠３の内側に面板２を取り付けた採光扉、戸等の建具や、窓等が知られている。この面板２と取付け枠３の接続構造としては、例えば図４に示すように取付け枠３の内周縁面７に溝１２を形成し、溝１２の開口縁部から幅方向内側に係止用突片１８を突出し、該係止用突片１８の表面にパッキン１４の上部を係止すると共にパッキン１４の下部を溝１２内部に収納し、該パッキン１４に面板２の周縁部２ａを嵌め込んでなるものが知られており、このように面板２と取付け枠３の溝１２とにパッキン１４を介在させることで、面板２のがたつきを防止して面板２が割れないようにしたり、シール性、遮音性の向上を行ってたりしていた（例えば特許文献１）。
【０００３】
また、上記とは別に図５に示すように取付け枠３の内周縁面７に形成された溝１２内部に自身の全部が収まるようにパッキン１４を配設し、面板２の周縁部２ａを前記パッキン１４に嵌め込んだものも知られている（特許文献２）。
【０００４】
【特許文献１】
実開昭５６−４７０８９号公報
【特許文献２】
特開平１０−３７６０６号公報
【０００５】
【発明が解決しようとする課題】
しかしながら、上記特許文献１に示す従来例にあっては、パッキン１４の上部が取付け枠３の内周縁面７に露出しているため見栄えが悪かった。またこの取付け枠３の内周縁面７に露出したパッキン１４はゴミ等の異物や紫外線などの影響を受けやすいため、ひび割れ等の経年変化等による劣化が著しく、一層見栄えを悪くしていた。
【０００６】
また特許文献２に示す従来例にあっても、パッキン１４は溝１２内部に収納されているものの、溝１２の開口縁部と面板２の周縁部２ａとの間には隙間１９があり、パッキン１４は取付け枠３の内周縁面７側に露出しているため、取付け枠３の内周縁面７側から隙間１９を介して溝１２内部のパッキン１４が見えてしまい見栄えが悪く、またこの隙間１９から異物や紫外線等が溝１２内部に入り込んでしまい、この場合も経年変化による劣化が大きかった。
【０００７】
本発明は上記の点に鑑みてなされたものであり、その目的とするところは、パッキンが取付け枠の内周縁面側に露出しないようにして外観を向上し、且つパッキンの経年変化による劣化を抑えた面板と取付け枠の接続構造を提供することを課題とするものである。
【０００８】
【課題を解決するための手段】
上記課題を解決するために本発明に係る面板と取付け枠の接続構造は、取付け枠３の内周縁面７に溝１２を形成し、この溝１２内部に自身の全部が収まるようにパッキン１４を配設し、面板２の周縁部２ａを前記溝１２の開口から差し込んで溝１２内部のパッキン１４に嵌め込んでなる面板と取付け枠の接続構造において、溝１２の両側面１２ａの開口側の端部に、溝１２の幅方向の内側に突出すると共にその突端が面板２近傍に位置する隠し用突片１３を形成して成ることを特徴とするものである。
【０００９】
このように取付け枠３の内周縁面７に溝１２を形成し、この溝１２内部に自身の全部が収まるようにパッキン１４を配設し、面板２の周縁部２ａを前記溝１２の開口から差し込んで溝１２内部のパッキン１４に嵌め込んでなる面板と取付け枠の接続構造において、溝１２の両側面１２ａの開口側の端部に、溝１２の幅方向の内側に突出すると共にその突端が面板２近傍に位置する隠し用突片１３を形成することで、隠し用突片１３により溝１２内部にその全部が収納されたパッキン１４を取付け枠３の内周縁面７に露出しないように隠すことができ、これによって面板２と取付け枠３の接続部分の外観を向上させることができる。またこのようにパッキン１４を隠し用突片１３により取付け枠３の内周縁面７に露出しないようにすることで、溝１２内部に異物や紫外線等が入り込み難くなり、これによってパッキン１４の経年変化による劣化を抑えることができる。
【００１０】
また請求項２記載の面板と取付け枠の接続構造は請求項１記載の面板と取付け枠の接続構造において、上記パッキン１４を弾性を有するものとし、該パッキン１４を、溝１２の開口側に凸となる突曲部１５と、突曲部１５の幅方向両端から溝１２の開口側に突出する両側片１６とからなる断面略Ｗ字状に形成し、溝１２の開口から差し込まれた面板２の周縁面２ｃによってパッキン１４の突曲部１５を溝１２の奥面１２ｂ側に押圧し、パッキン１４の両側片１６の先端部を面板２の両側面２ｂに弾接させてなることを特徴とするものである。
【００１１】
このように上記パッキン１４を弾性を有するものとし、該パッキン１４を、溝１２の開口側に凸となる突曲部１５と、突曲部１５の幅方向両端から溝１２の開口側に突出する両側片１６とからなる断面略Ｗ字状に形成し、溝１２の開口から差し込まれた面板２の周縁面２ｃによってパッキン１４の突曲部１５を溝１２の奥面１２ｂ側に押圧し、パッキン１４の両側片１６の先端部を面板２の両側面２ｂに弾接させることで、溝１２の開口より面板２を差し込むだけで簡単に面板２の周縁部２ａをパッキン１４に嵌め込むことができ、且つこの場合、面板２の周縁部２ａをパッキン１４にぴったりと嵌め込むことが可能となる。
【００１２】
【発明の実施の形態】
以下、本発明を添付図面に示す実施形態に基づいて説明する。なお、以下に示す実施形態では、面板２と取付け枠３とからなる構造物を採光扉１とするが、構造物としてはこれに限定されるものではなく、例えば従来から公知の戸等の建具や、窓、壁等であっても良いものとする。
【００１３】
図２に面板１と取付け枠２とからなる採光扉１の断面図を示す。採光扉１は建物の開口部４に取付けられるものであって、部屋の仕切りや建物外部との仕切り等に用いられる。
【００１４】
面板２としてはガラス板や、アクリル板等の透光性を有する矩形状の採光板を用いる。
【００１５】
上記面板２が取付けられる取付け枠３としては例えば金属製のサッシを用い、該取付け枠３は一対の上下の横框５ａ、５ｂと、図示を省略した一対の左右の縦框からなる中央に開口部を有する矩形枠状である。詳述すると、取付け枠３の開口部６は面板２と略同大同形であり、その四辺に相当する各框５の夫々の内周縁面７にて面板２の全周を囲むようにしている。また取付け枠３の四辺のうち一辺に相当する上横框５ａの外周縁面８には図２に示すように建物の開口部４の周縁部に設けたレール９内を滑動するランナ１０を設けてあり、これにより採光扉１は吊り下げ引き戸として利用される。なお、取付け枠３の例としては上記に限定されるものではなく、例えば図３に示すように、上下横框５ａ、５ｂと、図示しない左右縦框と、上下横框５ａ、５ｂ間に位置する中横框１１とで形成して２つの開口部６ａ、６ｂを有するものとし、該開口部６ａ、６ｂの夫々に面板２を取り付けても良いものとする。さらに言うと上記取付け枠３及び面板２の形状は矩形状でなくても良く、例えば円形であっても良いものとする。
【００１６】
上記取付け枠３の対向する２辺に相当する上下横框５ａ、５ｂの内周縁面７の厚み方向中央部には図１に示すように上下横框５ａ、５ｂの長手方向に亘って開口部６側に開口する溝１２を形成してある。そして各溝１２の両側面１２ａ（溝１２の奥面１２ｂに略直交する面）における溝１２の開口側の端部には、長手方向に亘って、溝１２の幅方向の内側に向かって突出すると共に、図２に示す面板２を取付け枠３に取付けた状態において、その突端が面板２の周縁部２ａの両側面２ｂ（表裏面）近傍に位置する取付け枠３と一体の隠し用突片１３を形成している。なお、この隠し用突片１３の突端は、可能な限り面板２の両側面２ｂに近づけるように形成しているものとするが、隠し用突片１３の突端は面板２に接触していないものとする。
【００１７】
上記各溝１２の奥面１２ｂには弾性を有する例えばゴムのような材料からなる断面略Ｗ字状のパッキン１４を配設してあり、このパッキン１４は図１に示すように溝１２内部にその全部が収まった状態で配設されている。詳述すると、パッキン１２はその幅方向の長さが溝１２の両側面１２ａ間の長さと略同じとなるように形成されており、溝１２の開口（すなわち両隠し用突片１３間に形成された開口）側に凸となる突曲部１５と、突曲部１５の幅方向両端から溝１２の開口側に突出する両側片１６とからなる。パッキン１４の両側片１６は溝１２の開口側に行く程幅方向外側に位置するように傾斜しており、また両側片１６の先端は突曲部１５の突端よりも溝１２の開口側に位置するように形成されている。この両側片１６の先端には幅方向内側に向かって突出し、面板２取付け時において面板２の周縁部２ａの両側面２ｂに当接する当接部１７が夫々形成されている。ここで、一対の当接部１７の対向端面には例えば対向方向に突没する微小凹凸面が形成されている。この微小凹凸面の突部は対向方向で且つやや面板２の挿入方向に傾斜をして突出しており、一対の当接部１７間に挟持させた面板２に抜け防止効果を施している。なお、上記両側片１６間の距離は、面板２の周縁部２ａを溝１２の開口側から差し込んだ際に、面板２の周縁部２ａがスムーズに突曲部１５の突端面に至るような間隔で形成されているものとする。また上記各パッキン１４の突曲部１５及び両側片１６は一体に形成されているものとする。
【００１８】
上記の面板２と取付け枠３とを接続する場合は、面板２の２辺に相当する上下の周縁部２ａを各溝１２の開口から差し込むと共にこの面板２の周縁部２ａを溝１２内部のパッキン１４に嵌め込むことで行われる。詳述すると、溝１２の開口から差し込まれた面板２の周縁部２ａは、パッキン１４の両側片１６間に形成された隙間に挿入され、面板２の周縁面２ｃにてパッキン１４の突曲部１５の突端を溝１２の奥面１２ｂ側に押圧する。これによって突曲部１５の突端は溝１２の奥面１２ｂ側に移動する共に突曲部１５の両端が幅方向外側に向かって開き、これと共にパッキン１４の両側片１６はその先端部が幅方向内側に移動し、突曲部１５と両側片１６とのなす角度を維持する弾性力が働いて両側片１６の先端部である両当接部１７の端面が面板２の周縁部２ａの両側面２ｂに弾接する。
【００１９】
しかして取付け枠３に面板２を接続した状態は図１に示すように、溝１２の両側面１２ａの開口側の端部に形成された隠し用突片１３によって溝１２内部のパッキン１４が隠された状態、すなわち取付け枠３の内周縁面７にパッキン１４が露出しない状態となる。またこの場合、面板２の周縁部２ａはパッキン１４に嵌め込まれた状態、すなわちパッキン１４の突曲部１５が溝１２の開口から差し込まれた面板２の周縁面２ａによって溝１２の奥面１２ｂ側に押圧され、且つパッキン１４の両側片１６の先端部が面板２の周縁部２ａの両側面２ｂに弾接した状態となる。
【００２０】
なお、上記では、溝１２及びパッキン１４を取付け枠３の対向する２辺に相当する上下横框５ａ、５ｂに設けた例を示したが、例えば溝１２及びパッキン１４を全ての框５に設けたり、左右縦框に設けたりしても良く、つまり溝１２及びパッキン１４を少なくとも取付け枠３の対向する２辺に相当する框５に設けてあれば良いものとする。
【００２１】
このように取付け枠３の内周縁面７に溝１２を形成し、この溝１２内部に自身の全部が収まるようにパッキン１４を配設し、面板２の周縁部２ａを前記溝１２の開口から差し込んで溝１２内部のパッキン１４に嵌め込んでなる面板と取付け枠の接続構造において、溝１２の両側面２ｂの開口側の端部に、溝１２の幅方向の内側に突出すると共にその突端が面板２近傍に位置する隠し用突片１３を形成することで、隠し用突片１３により溝１２内部にその全部が収納されたパッキン１４を取付け枠３の内周縁面７に露出しないように隠すことができ、これによって面板２と取付け枠３の接続部分の外観を向上させることができる。またこのようにパッキン１４を隠し用突片１３により取付け枠３の内周縁面７に露出しないようにすることで、溝１２内部に異物や紫外線等が入り込み難くなり、これによってパッキン１４が経年変化によって劣化することを抑えることができ、面板２と取付け枠３の接続部分の外観をより一層向上させることができる。
【００２２】
また上記パッキン１４を弾性を有するものとし、該パッキン１４を、溝１２の開口側に凸となる突曲部１５と、突曲部１５の幅方向両端から溝１２の開口側に突出する両側片１６とからなる断面略Ｗ字状に形成し、溝１２の開口から差し込まれた面板２の周縁面２ｃによってパッキン１４の突曲部１５を溝１２の奥面１２ｂ側に押圧し、パッキン１４の両側片１６の先端部を面板２の両側面２ｂに弾接させることで、溝１２の開口より面板２を差し込むだけで面板２の周縁部２ａをパッキン１４に簡単且つ確実に嵌め込むことができ、且つこの場合面板２の周縁部２ａによってパッキン１４を押さえつけてもパッキン１４が溝１２の開口側に向かって変形することがなく、パッキン１４が取付け枠３の内周縁面７へ露出することをより一層防止できる。
【００２３】
【発明の効果】
上記のように本発明の請求項１記載の発明にあっては、溝の両側面の開口側の端部に、溝の幅方向の内側に突出すると共にその突端が面板近傍に位置する隠し用突片を形成することで、隠し用突片により溝内部にその全部が収納されたパッキンを取付け枠の内周縁面に露出しないように隠すことができ、これによって面板と取付け枠の接続部分の外観を向上させることができる。またこのようにパッキンを隠し用突片により取付け枠の内周縁面に露出しないようにすることで、溝内部に異物や紫外線等が入り込み難くなり、これによってパッキンが経年変化によって劣化することを抑えることができ、面板と取付け枠の接続部分の外観をより一層向上させることができる。
【００２４】
また請求項２記載の発明にあっては、上記請求項１記載の発明の効果に加えて、上記パッキンを弾性を有するものとし、該パッキンを、溝の開口側に凸となる突曲部と、突曲部の幅方向両端から溝の開口側に突出する両側片とからなる断面略Ｗ字状に形成し、溝の開口から差し込まれた面板の周縁面によってパッキンの突曲部を溝の奥面側に押圧し、パッキンの両側片の先端部を面板の両側面に弾接させることで、溝の開口より面板を差し込むだけで簡単に面板の周縁部をパッキンに嵌め込むことができ、且つこの場合、面板の周縁部をパッキンにぴったりと嵌め込むことが可能となり、より一層面板のがたつきを防止でき、またシール性、遮音性も向上する。
【図面の簡単な説明】
【図１】本発明の実施形態の一例の面板と取付け枠の接続構造を示す要部拡大図である。
【図２】同上の採光扉の断面図である。
【図３】同上の他例を示す採光扉の断面図である。
【図４】従来の面板と取付け枠の接続構造の一例を示す断面図である。
【図５】従来の面板と取付け枠の接続構造の他例を示す断面図である。
【符号の説明】
１  採光扉
２  面板
２ａ  周縁部
２ｃ  周縁面
３  取付け枠
７  内周縁面
１２  溝
１２ａ  側面
１３  隠し用突片
１４  パッキン
１５  突曲部
１６  側片
【図１】
2004232240.tif 000003
【図２】
2004232240.tif 000004
【図３】
2004232240.tif 000005
【図４】
2004232240.tif 000006
【図５】
2004232240.tif 000007